(57)【特許請求の範囲】
【請求項１】
筐体内部に電子部品を収容してなる情報処理装置において、
前記筐体の表面に吸排気口からのエアの充填により膨張し、該吸排気口からのエアの排出により収縮する前記筐体と一体的に設けられたエアクッション手段を具備し、
前記エアクッション手段は、前記吸排気口に連絡されるとともに前記筐体の表面に一体的に設けられた緩衝用軟質袋部、及び該緩衝用軟質袋部の外側に一体的に設けられた緩衝用硬質板部を有し、
前記吸排気口からエアを充填することにより前記緩衝用硬質板部が前記筐体の表面から離間し、該吸排気口からエアを排出することにより該緩衝用硬質板部が該筐体の表面に近接するようにしたことを特徴とする情報処理装置。
【請求項２】
請求項１に記載の情報処理装置において、
前記緩衝用軟質袋部に連絡されるとともに前記筐体の表面に設けられた把手用軟質袋部、及び該把手用軟質袋部の外側に設けられた把手用硬質板部を有する把手手段をさらに備え、
前記吸排気口からエアを充填することにより前記把手用軟質袋部が該筐体の表面から離間して、該把手用軟質袋部と該筐体の表面の対応する部分との間に手指挿入用の空間を形成し、該吸排気口からエアを排出することにより該把手用硬質板部が該筐体の表面に近接するようにしたことを特徴とする情報処理装置。
【発明の詳細な説明】
【０００１】
【発明の属する技術分野】
本発明は、ラップトップ型やノートブック型のコンピュータやワードプロセッサ、電子手帳、その他の携帯型の情報処理装置に関する。
【０００２】
携帯型の情報処理装置においては、運搬時には不慮の衝撃等から装置を有効に保護することができ、且つ、非運搬時（使用時）には操作の障害になったり、使用感を損ねたりすることのない構造が要望されている。
【０００３】
【従来の技術】
図６は従来の携帯型の情報処理装置（ノートパソコン）の外観を示す斜視図である。同図において、３１は機器本体であり、機器本体３１は開閉可能に取り付けられた表示部３２を有している。表示部３２の内面にはＬＣＤパネル等のディスプレイが設けられており、機器本体３１の表示部３２に対面する部分には、入力操作を行うためのキーボードが配置されている。
【０００４】
機器本体３１はプラスチック製の筐体の内部に、ＣＰＵ、メモリ等が実装されたマザーボード、電源ユニット、インタフェースユニット、フロッピーディスクユニット、ハードディスクユニット等が収容されて構成されている。なお、３３はフロッピーディスクあるいはＩＣカード等を挿入するためのスロットである。
【０００５】
この情報処理装置を使用する場合には、表示部３２を機器本体３１に対して開いて、ディスプレイ画面及びキーボードを露出した状態とする。一方、この情報処理装置を使用しない場合には、ディスプレイ画面やキーボードの保護及び装置のコンパクト化のため、表示部３２を閉じて、機器本体３１にロックした状態とする。
【０００６】
このような携帯型情報処理装置においては、運搬時における外部からの衝撃等に対する保護は、情報処理装置自体としては、専ら筐体の強度に依存しているのが現状である。
【０００７】
しかし、可搬性能の向上の観点から小型軽量化を優先した設計となり、筐体の強度の向上には限界があるため、持ち運び中における衝撃、例えば衝突、落下、満員電車による押圧等により、装置が故障する場合がある。
【０００８】
特に、ディスプレイ画面として高価なＬＣＤパネルを使用している場合には、ＬＣＤパネルは面圧強度が弱いために偏荷重により簡単にひび割れ等を起こし、また、ハードディスクユニット等は非常に精密な機構を有しているため、運搬時の衝撃等によりハード的にあるいはソフト的に障害を生じる場合が多い。
【０００９】
このため、運搬時には、その保護及び持ち運びの利便の観点から、把手を備えた一般のカバンや専用のキャリングケース等に収納することが通常行われているが、収納作業が煩雑であるとともに、装置使用時には不要で邪魔になる。また、一般のカバンでは保護が十分でない。
【００１０】
このような点を考慮した、携帯型情報処理装置単体での従来の保護手段としては、筐体の表面にウレタン等からなる緩衝材を貼着するものが知られている。また、装置の筐体に把手を一体的に設けることにより、運搬時の取り扱いを容易にしたものが知られている。
【００１１】
【発明が解決しようとする課題】
しかし、筐体の表面にウレタン等からなる緩衝材を貼着するのは、緩衝材によって装置が大型化するとともに、使用時のキーボード操作等による押圧により装置が傾いたり、不要な動きをする場合があるため、使用感に悪影響を及ぼし操作性を悪化させるという問題がある。
【００１２】
また、把手を筐体に一体的に設けたものでは、把手によって装置が大型化するとともに、把手が操作の支障になり、使用感に悪影響を及ぼし操作性を悪化させる場合があるという問題がある。
【００１３】
本発明はこのような点に鑑みてなされたものであり、その目的とするところは、使用時には使用感に悪影響を与えず、運搬時には衝撃等から装置を十分に保護できるようにした携帯型の情報処理装置を提供することである。
【００１４】
【課題を解決するための手段】
請求項１に記載の本発明の情報処理装置によると、運搬時には吸排気口から吸気を充填して、筐体の表面のエアクッション手段を膨張させる。これにより、装置は膨張したエアクッション手段により衝撃等から保護され、安全に運搬することができるようになる。一方、使用時には吸排気口からエアを排出してエアクッション手段を収縮させる。これにより、エアクッション手段が使用時に邪魔になったり、エアクッション手段によって使用感に悪影響を与えることが少なくなる。
【００１５】
さらに、緩衝用軟質袋部の外側に緩衝用硬質板部を配置しているから、緩衝用軟質袋部及び緩衝用硬質板部により運搬時の衝撃等から装置を有効に保護できる。また、緩衝用硬質板部により緩衝用軟質袋部が保護され、緩衝用軟質袋部に穴が空く等の障害も防止できる。さらに、緩衝用硬質板部を押圧することによりエアの排出を円滑に行うことができる。
【００１６】
請求項２に記載の本発明の携帯型情報処理装置は、請求項１に記載の携帯型情報処理装置において、前記緩衝用軟質袋部に連絡されるとともに前記筐体の表面に設けられた把手用軟質袋部、及び該把手用軟質袋部の外側に設けられた把手用硬質板部を有する把手手段をさらに備え、前記吸排気口からエアを充填することにより前記把手用軟質袋部が該筐体の表面から離間して、該把手用軟質袋部と該筐体の表面の対応する部分との間に手指挿入用の空間を形成し、該吸排気口からエアを排出することにより該把手用硬質板部が該筐体の表面に近接するようにしたことを特徴とする。
【００１７】
請求項２に記載の情報処理装置によると、把手用軟質袋部と把手用硬質板部を有する把手手段を設けており、この把手手段は緩衝用軟質袋部へのエアの充填により膨張するから、運搬時にはこの把手を把持することにより装置の持ち運びが容易になる。一方、把手手段は緩衝用軟質袋部からのエアの排出により収縮するから、使用時には操作の邪魔になることがない。また、運搬時に装置の重量は把手用軟質袋部を介して手指に作用するから、手指の全体に把手用軟質袋部がフィットし、手指に対する負担を軽減することができる。
【００１８】
【発明の実施の形態】
以下、本発明の実施の形態を図面に基づいて説明することにする。
図１及び図２は本発明の実施の形態に係る携帯型の情報処理装置（ノートパソコン）の外観を示す斜視図であり、図１はエアを充填した状態を、図２はエアを排出した状態を示している。
【００１９】
同図において、１１は機器本体であり、機器本体１１は開閉可能に取り付けられた表示部１２を有している。表示部１２の内面にはＬＣＤパネル等のディスプレイが設けられており、機器本体１１の表示部１２に対面する部分には、入力操作を行うためのキーボードが配置されている。
【００２０】
機器本体１１はプラスチック製の筐体の内部に、ＣＰＵ、メモリ等が実装されたマザ−ボード、電源ユニット、インタフェースユニット、フロッピーディスクユニット、ハードディスクユニット等が収容されて構成されている。なお、１３はフロッピーディスクあるいはＩＣカード等を挿入するためのスロットである。
【００２１】
機器本体１１の表面及び表示部１２の表面には、図３にその要部が示されているように、エアクッション手段が設けられている。エアクッション手段は、緩衝用軟質袋部１４及び緩衝用硬質板部１５を備えて構成されている。
【００２２】
緩衝用軟質袋部１４は、機器本体１１及び表示部１２の表面の各面に対応してそれぞれ一体的に設けられている。各緩衝用軟質袋部１４の外側には緩衝用硬質板部１５が一体的に設けられている。これらの各緩衝用軟質袋部１４は互いに連通されている。機器本体１１の側面には、エアバルブ（吸排気口）１６が設けられており、緩衝用軟質袋部１４はこのエアバルブ１６に連絡されている。
【００２３】
緩衝用軟質袋部１４及び緩衝用硬質板部１５は機器本体１１及び表示部１２の筐体製造時に樹脂成型加工により一体的に形成することができ、また、機器本体１１及び表示部１２の筐体とは別に樹脂成型加工により形成した上で、機器本体１１及び表示部１２の表面に貼着することができる。
【００２４】
エアバルブ１６は、水泳用の浮き輪や幼児用玩具に使用されているような一般的なものを使用することができる。例えば、エアを吸入するときには弁が開き、エアを吸入しないときには内部の圧力により弁が閉じるようなものを使用できる。また、円筒状に突出する口部の先端部をエア吸入後にキャップで閉塞するようなものでもよい。
【００２５】
図１に示されているように、このエアバルブ１６にエア充填用のポンプ１７のエア排出口１８を接続して、エアポンプ１７を押圧・開放を繰り返すことにより、緩衝用軟質袋部１４にエアが充填され、図１に示されているように、緩衝用硬質板部１５が機器本体１１及び表示部１２の筐体の表面から離間する。
【００２６】
一方、このエアバルブ１６を介してエアを排出することにより、図２に示されているように、緩衝用軟質袋部１４が収縮され、緩衝用硬質板部１５が機器本体１１及び表示部１２の表面に近接する。
【００２７】
機器本体１１の正面部分には、図４に示されるように、把手手段が設けられている。この把手手段は、把手用軟質袋部１９と把手用硬質板部２０とから構成されている。把手用軟質袋部１９は、緩衝用軟質袋部１４に連絡されている。把手用硬質板部２０は把手用軟質袋部１９の外側に一体的に設けられており、４ヶ所で折り曲げができるように、薄肉のヒンジ部２１を有している。
【００２８】
把手用軟質袋部１９はその左右の端部及びその近傍では、機器本体１１の表面に一体的に接合されているが、中央部分及びその近傍は機器本体１１の表面に接合されていない。
【００２９】
エアバルブ１６からエアを圧入すると、緩衝用軟質袋部１４を介して把手用軟質袋部１９にもエアが充填され、把手用軟質袋部１９が膨張し、図５（Ａ）にも示されているように、把手用軟質袋部１９の中央部分が機器本体１１から離間して、把手用硬質板部２０がヒンジ部２１の部分で折れ曲がって隆起する。
【００３０】
これにより、図５（Ｂ）に示されているように、把手用軟質袋部１９の中央部分及びその近傍と機器本体１１の対応する部分との間に手指２２を挿入するための空間が形成される。一方、エアバルブ１６からエアを排出すると、把手用軟質袋部１９が収縮し、把手用硬質板部２０が機器本体１１の表面に近接（又は当接）する。
【００３１】
本実施の形態によると、運搬時にはエアバルブ１６からエアポンプ１７によりエアを緩衝用軟質袋部１４及び把手用軟質袋部１９に圧入して、機器本体１１及び表示部１２の表面のエアクッション手段及び把手手段を膨張・隆起させる。
【００３２】
これにより、装置は膨張・隆起したエアクッション手段により、衝撃等から保護されるとともに、把手を把持して運搬することができるから、持ち運び時の取り扱いが容易になり、安全に運搬することができるようになる。従って、運搬時にＬＣＤパネルが割れてしまったり、ハードディスクユニットに障害が発生するというトラブルを防止することができる。別途、キャリングケースを必要とすることもない。
【００３３】
一方、使用時にはエアバルブ１６からエアを排出してエアクッション手段を収縮させる。これにより、エアクッション手段が使用時に邪魔になったり、エアクッション手段によって使用感に悪影響を与えることがない。
【００３４】
また、運搬時に装置の重量（例えば、２〜３キログラム）は把手用軟質袋部１９を介して手指２２に作用するから、手指２２に把手用軟質袋部１９が全体的にフィットするとともに、この部分は軟らかいため、手指２２に対する負担を軽減することができ、長時間の運搬も支障なく行うことができるようになる。
【００３５】
さらに、緩衝用硬質板部１５や把手用硬質板部２０を押圧することにより、緩衝用軟質袋部１４や把手用軟質袋部１９からのエアの排出を円滑に行うことができ、その作業性も良好である。
【００３６】
また、緩衝用軟質袋部１４の外側に緩衝用硬質板部１５を、把手用軟質袋部１９の外側に把手用硬質板部２０を配置したので、緩衝用軟質袋部１４は緩衝用硬質板部１５により保護され、把手用軟質袋部１９は把手用硬質板部２０により保護されるから、緩衝用軟質袋部１４や把手用軟質袋部１９に穴が空いて、その機能を損なうこともない。
【００３７】
なお、以上説明した実施の形態は、本発明の理解を容易にするために記載されたものであって、本発明を限定するために記載されたものではない。従って、上記の実施の形態に開示された各要素は、本発明の技術的範囲に属する総ての設計変更や均等物をも含む趣旨である。
【００３８】
【発明の効果】
請求項１に記載の本発明の情報処理装置によると、非運搬時にはエアクション手段を収縮させることにより、エアクション手段が操作の障害になったり、使用感を損ねたりすることがなく、運搬時には膨張したエアクッション手段により衝撃等から装置を十分に保護できるようになるという効果がある。
【００３９】
さらに、緩衝用軟質袋部の外側に緩衝用硬質板部を配置しているから、運搬時に緩衝用軟質袋部及び緩衝用硬質板部により運搬時の衝撃等から装置を有効に保護できるとともに、非運搬時にはエアクション手段が無い場合とほぼ同様の外観及び使用感を実現できるという効果がある。また、緩衝用硬質板部を押圧することによりエアの排出を円滑に行うことができるという効果もある。
【００４０】
請求項２に記載の本発明の情報処理装置によると、非運搬時には把手手段を収縮させることにより、把手手段が操作の障害になったり、使用感を損ねたりすることがなく、運搬時には膨張・隆起した把手手段を把持することにより、安全に運搬することができるという効果がある。また、運搬時の手指への負担を軽減できるという効果もある。
【図面の簡単な説明】
【図１】本発明の実施の形態の情報処理装置のエア充填時における全体構成を示す斜視図である。
【図２】本発明の実施の形態の情報処理装置のエア排出時における全体構成を示す斜視図である。
【図３】本発明の実施の形態の要部を拡大した図である。
【図４】本発明の実施の形態の把手手段の近傍を示す斜視図である。
【図５】本発明の実施の形態の把手部分を拡大した図であり、（Ａ）は手指を挿入しない状態を、（Ｂ）は手指を挿入した状態を示している。
【図６】従来技術を示す斜視図である。
【符号の説明】
１１  機器本体
１２  表示部
１４  緩衝用軟質袋部
１５  緩衝用硬質板部
１６  エアバルブ（吸排気口）
１７  エアポンプ
１９  把手用軟質袋部
２０  把手用硬質板部
２１  ヒンジ部
【図１】
0003628468.tif 000002
【図２】
0003628468.tif 000003
【図３】
0003628468.tif 000004
【図４】
0003628468.tif 000005
【図５】
0003628468.tif 000006
【図６】
0003628468.tif 000007